(57)【要約】【課題】  ハウジングとコンタクト端子とをインサート成形により一体化するカード用コネクタ装置において、コンタクト端子を保持するハウジングの保持部の肉厚寸法を小さくしても、コンタクト端子を埋設させやすく、カードの外部接続端子とコンタクト端子との接触にコンタクト端子から受ける押圧力に対する強度を確保しやすいカード用コネクタ装置の提供。【解決手段】  ハウジング４が、コンタクト端子９を保持する保持部６を備え、この保持部６が、コンタクト端子９の一部を埋設する埋設部７と、カード２０の外部接続端子２１とコンタクト端子９との接触時にコンタクト端子９から押圧力を受ける受け部８とを有するとともに、受け部８に配置されるコンタクト端子９の部分（露出部１４）が、ハウジング４の埋設部７に埋設される部分（被埋設部１５）よりもカード挿入空間３側に位置するようにした。【選択図】  図４
2005174756.tif 000002
【特許請求の範囲】
【請求項１】
外部接続端子が設けられたカードが挿入されるカード挿入空間を形成するハウジングと、このハウジングに設けられ、前記カード挿入空間に前記カードが挿入された状態において前記外部接続端子に接触するコンタクト端子とを備え、前記ハウジングと前記コンタクト端子とがインサート成形により一体化されたカード用コネクタ装置であって、
前記ハウジングが、前記コンタクト端子を保持する保持部を備え、この保持部が、前記コンタクト端子の一部を埋設する埋設部と、前記外部接続端子と前記コンタクト端子が接触したときにこのコンタクト端子から押圧力を受ける受け部とを有し、
前記受け部に配置される前記コンタクト端子の部分が、前記ハウジングの前記埋設部に埋設される前記コンタクト端子の部分よりも前記カード挿入空間側に位置して、前記カード挿入空間側に露出することを特徴とするカード用コネクタ装置。
【請求項２】
請求項１記載の発明において、
前記コンタクト端子が、前記埋設部に埋設される部分から延び外部に接続される外部接続部を有し、
前記コンタクト端子が複数並べられ、前記埋設部に埋設される各コンタクト端子の部分に、コンタクト端子の並ぶ方向に屈曲させた部分を含ませ、この屈曲させた部分により前記外部接続部同士の間隔を等間隔に調整したことを特徴とするカード用コネクタ装置。
【請求項３】
請求項１記載の発明において、
前記受け部に、前記コンタクト端子の側部に係合する係合部を形成したことを特徴とするカード用コネクタ装置。
【発明の詳細な説明】
【技術分野】
【０００１】
本発明は、カードが挿入されるハウジングと、このハウジングに設けられカードの外部接続端子が接触するコンタクト端子とが、インサート成形により一体化されたカード用コネクタ装置であって、ハウジングとコンタクト端子とのインサート成形に係る形状を改良したものに関する。
【背景技術】
【０００２】
従来のカード用コネクタ装置は、外部接続端子が設けられたカードが挿入されるカード挿入空間を有するハウジングと、このハウジングに設けられ、カード挿入空間にカードが挿入された状態において外部接続端子に接触するコンタクト端子とを備え、コンタクト端子とハウジングとがインサート成形により一体化されている。ハウジングは、コンタクト端子の一部を埋設して保持する保持部を有する。
【特許文献１】特開２００２−２８９２８０号公報
【発明の開示】
【発明が解決しようとする課題】
【０００３】
カード用コネクタ装置では、装置を薄型化するために、ハウジングの厚さ寸法を小さくすることが行われる。そして、ハウジングの厚さ寸法を小さくするにあたり、ハウジングの保持部の肉厚寸法が小さく設計される。しかし、ハウジングの保持部の肉厚寸法を小さく設計すると、この保持部に対応する金型部分において溶融樹脂が流れにくくなり、型どおりに溶融樹脂が行き渡らないことがある。つまり、ハウジングの保持部は、肉厚寸法を小さくすると、コンタクト端子の部分を埋設させにくくなり、歩留まりが悪くなるという問題があった。
【０００４】
また、ハウジングの保持部は、カードの外部接触端子とコンタクト端子が接触してコンタクト端子が撓んだときに、コンタクト端子から押圧力を受ける受け部として機能する。したがって、ハウジングの厚さ寸法を小さくするために保持部の肉厚寸法を小さくすると、この受け部としての強度が低下する。つまり、保持部の肉厚寸法を小さくすると、コンタクト端子から受ける押圧力に対する強度を確保しにくくなり、コンタクト端子から押圧力を受けたときに破断しやすくなるという問題があった。
【０００５】
本発明は、上述の問題を考慮してならされたものであり、その目的は、ハウジングとコンタクト端子とをインサート成形により一体化するカード用コネクタ装置において、コンタクト端子を保持するハウジングの保持部の肉厚寸法を小さくしても、コンタクト端子を埋設させやすく、カードの外部接続端子とコンタクト端子との接触にコンタクト端子から受ける押圧力に対する強度を確保しやすいカード用コネクタ装置を提供することにある。
【課題を解決するための手段】
【０００６】
上述の目的を達成するために、本発明は、外部接続端子が設けられたカードが挿入されるカード挿入空間を形成するハウジングと、このハウジングに設けられ、前記カード挿入空間に前記カードが挿入された状態において前記外部接続端子に接触するコンタクト端子とを備え、前記ハウジングと前記コンタクト端子とがインサート成形により一体化されたカード用コネクタ装置であって、前記ハウジングが、前記コンタクト端子を保持する保持部を備え、この保持部が、前記コンタクト端子の一部を埋設する埋設部と、前記外部接続端子と前記コンタクト端子が接触したときにこのコンタクト端子から押圧力を受ける受け部とを有し、前記受け部に配置される前記コンタクト端子の部分が、前記ハウジングの前記埋設部に埋設される前記コンタクト端子の部分よりも前記カード挿入空間側に位置して、前記カード挿入空間側に露出することを特徴とする。
【０００７】
このように構成した本発明では、ハウジングの保持部が、コンタクト端子の一部を埋設する埋設部と、コンタクト端子の別の一部を埋設せずに露出させる受け部を備える。これにより、コンタクト端子の埋設される部分を少なくできる。したがって、ハウジングの保持部の肉厚寸法を小さくしても、コンタクト端子を埋設させやい。
【０００８】
また、本発明では、受け部に配置されるコンタクト端子の部分を、ハウジングの埋設部に埋設される部分よりもカード挿入空間側に位置させたので、受け部の肉厚をカード挿入空間方向に大きくすることができる。これにより、ハウジングの保持部の肉厚寸法を小さくしても、カードの外部接続端子とコンタクト端子との接触時にコンタクト端子から受ける押圧力に対する強度を確保しやすい。
【０００９】
また、本発明は、前記発明において、前記コンタクト端子が、前記埋設部に埋設される部分から延び外部に接続される外部接続部を有し、前記コンタクト端子が複数並べられ、前記埋設部に埋設される各コンタクト端子の部分に、コンタクト端子の並ぶ方向に屈曲させた部分を含ませ、この屈曲させた部分により前記外部接続部同士の間隔を等間隔に調整したことを特徴とする。
【００１０】
このように構成した本発明では、外部接続部同士の間隔が等間隔に配置されることから、外部接続部に対する溶接等の作業が行いやすい。また、コンタクト端子をハウジングに埋設される部分に、屈曲させた部分を含ませてあるので、屈曲した部分を埋設部により保護できる。つまり、カード挿入空間へのカードの挿入中に、屈曲させた部分が露出していると、屈曲させた部分がカードに引っ掛かったり、屈曲した部分と外部接続端子とがショートするなどの事態が起きることが懸念されるが、これらの事態を防止できる。
【００１１】
また、本発明は、前記発明において、前記受け部に、前記コンタクト端子の側部に係合する係合部を形成したことを特徴とする。
【００１２】
このように構成した本発明では、ハウジングに対するコンタクト端子の安定性を向上させることができる。
【発明の効果】
【００１３】
以上で説明したように、本発明によれば、コンタクト端子を保持するハウジングの保持部の肉厚寸法を小さくしても、コンタクト端子を埋設させやすいので、歩留まりを向上できる。また、コンタクト端子を保持するハウジングの保持部の肉厚寸法を小さくしても、カードの外部接続端子とコンタクト端子との接触時にコンタクト端子から受ける押圧力に対する強度を確保しやすいので、保持部を破断しにくくすることができる。
【発明を実施するための最良の形態】
【００１４】
以下で本発明のカード用コネクタ装置の一実施形態について図を用いて説明する。
【００１５】
図１は、本発明のカード用コネクタ装置の一実施形態を示す平面図、図２は、図１に示す実施形態の正面図、図３は、図１に示す実施形態に備えられるハウジングとコンタクト端子を示す平面図、図４は、図３のIV−IV拡大断面図、図５は、メモリカードがカード挿入空間に挿入された状態におけるコンタクト端子の状態を示す断面図である。なお、図１では、紙面の上側がカード用コネクタ装置の前側である。
【００１６】
本実施形態は、図１，２に示すカード用コネクタ装置１であり、外部接続端子２１（図５参照）が設けられたカード、例えば小型メモリカード２０（以下「カード２０」という）が挿入されるカード挿入空間３を形成するハウジング４と、このハウジング４に設けられ、カード挿入空間３にカード２０が挿入された状態において外部接続端子２１に接触するコンタクト端子９とを備えている。コンタクト端子９とハウジング４は、インサート成形によって、図３に示すように一体化してある。
【００１７】
カード２０の外部接続端子２１は、図示しないが、カード２０の下面において左右方向に複数並べて露出させてある。コンタクト端子９は、図２に示すように、ハウジング４の底面５に設けてあり、カード２０の外部接続端子２１に対応するように左右方向に複数、例えば１１本並べて、カード挿入空間３内に突出させてある。また、ハウジング４は、その底面５の両側端部および前端部に側壁２３を有する。この側壁２３には、カバー１８を取り付けてある。カード挿入空間３は、ハウジング４の底面５および側壁２３と、カバー１８とによって囲まれる空間である。カード２０は、カバー１８の後端とハウジング４の後端により形成される開口部１９（図５参照）からカード挿入空間３に挿入されるようになっている。
【００１８】
また、図３に示すように、ハウジング４は、金型に溶融樹脂を注入して成形したものであり、底面５にコンタクト端子９を保持する保持部６を備えている。この保持部６は、コンタクト端子９の一部（後述の被埋設部１５）を埋設する埋設部７と、カードの外部接続端子２１とコンタクト端子９が接触したときにコンタクト端子９から押圧力を受ける受け部８とを有する。
【００１９】
また、図４に示すように、コンタクト端子９は、その一端部にカード２０の外部接続端子２１と接触する接触部１０を有する。この接触部１０は、コンタクト端子９の一端部をアーチ状に曲げてなるアーチ状部１１と、このアーチ状部１１の始端部１１ａをカード挿入空間３方向に曲げてカード挿入空間３内に突出させたものである。この接触部１０は、図５に示すように、アーチ状部１１の頂部１１ｂにおいて外部接続端子２１に接触するようにしてある。
【００２０】
また、図４に示すように、コンタクト端子９は、前記接触部１０から後方に延び、上下方向への撓みが許容された撓み部１２を有する。ハウジング４の底面５は、撓み部１２の下方に開口部２２を有する。そして、撓み部１２の中間には、カード挿入空間３方向に曲げてなる屈曲部１３を設けてあり、これにより、図５に示すように、カード挿入空間３に対するカード２０の挿入が完了し外部接続端子２１と接触部１０との接触により撓み部１２が撓んだ状態において、この撓み部１２がハウジング４の底面５よりも下方に突出しないようにしてある。
【００２１】
また、図４に示すように、コンタクト端子９は、前記撓み部１２から後方に延び、ハウジング４の受け部８上で露出する露出部１４を有する。この露出部１４上面の側部は、図３に示すように、受け部８に埋設してある。すなわち、受け部８には、露出部１４の両側部に係合する係合部８ａを形成してある。
【００２２】
また、図４に示すように、コンタクト端子９は、前記露出部１４の後方にハウジング４の埋設部７に埋設される被埋設部１５を有する。また、露出部１４と埋設部１５との間では、露出部１４が被埋設部１５よりもカード挿入空間３側に位置するように段差部１６を形成してある。この段差部１６は、露出部１４と埋設部１５との間の前後方向の２箇所を屈曲させて、すなわち、２箇所のうちの前側を山折りに屈曲させ、後側を谷折に屈曲させて形成してある。
【００２３】
また、コンタクト端子９は、このコンタクト端子９を外部に接続するための外部接続部１７を有する。この外部接続部１７は、被埋設部１５の後方に設けてある。被埋設部１５は、コンタクト端子９の並ぶ方向（左右方向）に屈曲させた部分（図示せず）を含ませ、この屈曲させた部分により外部接続部１７同士の間隔を等間隔の間隔ａ１に調整してある。
【００２４】
このように構成した本実施形態では、カード２０がカード挿入空間３に挿入されると、カード２０の前端部が、コンタクト端子９の接触部１０のアーチ状部１１に接触する。このとき、アーチ状部１１には、カード２０の前端部から下向きの押圧力を与えられる。これにより、ハウジング４の受け部８を支点にコンタクト端子９の撓み部１２が下方に撓む。この結果、カード２０の前方への移動が許容される。そして、図５に示すように、カード２０の前端部が接触部１０を乗り越えハウジング４の前端の側壁２３部分に当接するまで挿入されて、カード２０の挿入が完了する。このようにしてカード２０の挿入が完了した状態では、カード２０の外部接続端子２１が接触部１０の頂部１１ｂに圧接している。
【００２５】
本実施形態によれば、次の効果が得られる。
【００２６】
本実施形態では、ハウジング１の保持部６が、コンタクト端子９の一部（被埋設部１５）を埋設する埋設部７と、コンタクト端子９の別の一部（露出部１４）を埋設せずに露出させる受け部８とを備えている。これにより、コンタクト端子９の埋設される部分を少なくできる。したがって、保持部６の肉厚寸法を小さくしても、コンタクト端子９の被埋設部１５を埋設させやすい。したがって、歩留まりを向上させることができる。
【００２７】
また、本実施形態では、受け部８に配置されるコンタクト端子９の露出部１４を、ハウジング４の埋設部７に埋設される被埋設部１５よりもカード挿入空間３側に位置させたので、受け部８の肉厚をカード挿入空間３方向に厚くすることができる。これにより、保持部６の肉厚寸法を小さくしても、カード２０の外部接続端子２１とコンタクト端子９の接触時にコンタクト端子９から受ける押圧力に対する強度を確保しやすい。したがって、保持部６を破断しにくくすることができる。
【００２８】
また、本実施形態では、コンタクト端子９の外部接続部１７同士の間隔が等間隔に配置されることから、外部接続部１７に対する溶接等の作業が行いやすい。
【００２９】
また、本実施形態では、コンタクト端子９の外部接続部１７同士の間隔を等間隔に配置するために屈曲させた部分を、コンタクト端子９の被埋設部１５に含ませてあるので、この屈曲させた部分をハウジング４の埋設部７により保護することができる。つまり、カード挿入空間３にカード２０が挿入されるときに、屈曲させた部分が露出していると、屈曲させた部分にカード２０が引っ掛かったり、屈曲させた部分と外部接続端子２１がショートするなどの事態が起きることが懸念されるがこれらの事態を防止できる。
【００３０】
また、本実施形態では、ハウジング４の受け部８に、露出部１４の両側部に係合する係合部８ａを形成してあるので、コンタクト端子９の保持の安定性を向上させることができる。
【図面の簡単な説明】
【００３１】
【図１】本発明のカード用コネクタ装置の一実施形態を示す平面図である。
【図２】図１に示す実施形態の正面図である。
【図３】図１に示す実施形態に備えられるハウジングとコンタクト端子を示す平面図である。
【図４】図３のIV−IV拡大断面図である。
【図５】メモリカードがカード挿入空間に挿入された状態におけるコンタクト端子の状態を示す断面図である。
【符号の説明】
【００３２】
１    カード用コネクタ装置
３    カード挿入空間
４    ハウジング
６    保持部
７    埋設部
８    受け部
９    コンタクト端子
１０  接触部
１２  撓み部
１４  露出部
１５  被埋設部
１６  段差部
１７  外部接続部
２０  カード
２１  外部接続端子
【図１】
2005174756.tif 000003
【図２】
2005174756.tif 000004
【図３】
2005174756.tif 000005
【図４】
2005174756.tif 000006
【図５】
2005174756.tif 000007